(57)【特許請求の範囲】
【請求項１】
本体キャビネットとこの本体キャビネットの側に基端が開閉自在に枢支された蓋体を有し、蓋体の側にセットされた記録媒体を収納したカートリッジを本体キャビネットに設けた駆動手段で回転駆動しながら本体キャビネットに設けたアクセス手段を介して前記カートリッジにアクセスする記録再生装置において、
挿入された前記カートリッジを保持し前記蓋体の解放に連動して挿入口が前記本体キャビネットと解放された蓋体の先端側との間に位置するカートリッジホルダと、
前記カートリッジホルダにスライド自在に取り付けられ挿入された前記カートリッジの係合凹部に係合する弾性凸部を有するスライダと、
第１のリンクの一端と第２のリンクの一端とを連結してなり第１のリンクの他端を前記本体キャビネットの側面に連結し、第２のリンクの他端を前記スライダに連結されたリンク機構と
を設け、前記蓋体の開閉動作に伴って前記スライダが前記カートリッジを移動させるように構成するとともに、
第１のリンクの前記他端と前記本体キャビネットとの連結部を、本体キャビネットに設けたリンク支軸を第１のリンクの前記他端に第１のリンクの長手方向に延びる長孔に係合させて構成し、
蓋体の開放状態から閉塞完了の手前位置では第１のリンクの有効長さが長くなるように付勢する付勢手段を設け、
蓋体を閉塞完了の手前位置から閉塞完了位置までは前記スライダの前記引き込み方向への移動を規制して前記付勢手段の付勢に抗して第１のリンクの有効長さが短くなるようにするスライダ規制手段を設けた
記録再生装置の蓋開閉装置。
【請求項２】
前記付勢手段を、本体キャビネットに設けたリンク支軸の周りに巻回され一端が本体キャビネットに係合し、他端が第１のリンクに係合するツル巻きバネで構成した
請求項１記載の記録再生装置の蓋開閉装置。
【請求項３】
前記スライダ規制手段を、
前記カートリッジの引き込み終了位置に応じて前記カートリッジホルダに当接して前記スライダの引き込み方向への移動を規制するピンで構成した
請求項１記載の記録再生装置の蓋開閉装置。
【請求項４】
前記スライダを第２のリンクの他端に形成した
請求項１〜請求項３の何れかに記載の記録再生装置の蓋開閉装置。
【請求項５】
前記蓋体の奥端に、基端が蓋体に固定され、先端が前記スライダにこのスライダを前記カートリッジを排出方向へ付勢するように当接する板バネを設けた
請求項１〜請求項４の何れかに記載の記録再生装置の蓋開閉装置。
【発明の詳細な説明】
【０００１】
【発明の属する技術分野】
本発明は記録再生装置に対して記録媒体を収納したカートリッジを出し入れするために設けられている蓋体の開閉装置に関するものである。
【０００２】
【従来の技術】
この種の記録再生装置の具体例としては、記録媒体としてミニディスク（ＭＤ）をセットして再生する携帯用ＭＤプレーヤを例に挙げることができる。
【０００３】
携帯用ＭＤプレーヤは、本体キャビネットとこの本体キャビネットに基端が開閉自在に枢支された蓋体を有し、蓋体の側にセットされたＭＤカートリッジを本体キャビネットに設けた駆動手段で回転駆動しながら本体キャビネットに設けたアクセス手段としての光ピックアップユニットを介して前記ＭＤカートリッジにアクセスするように構成されている。
【０００４】
携帯用ＭＤプレーヤへのＭＤカートリッジの装填は、蓋体を開くことによってカートリッジホルダの挿入口が現れて、ここにＭＤカートリッジを手動で奥端まで挿入し、その後に前記蓋体が閉じられ、前記ＭＤカートリッジが本体キャビネットに設けた駆動手段に連結される。
【０００５】
【発明が解決しようとする課題】
このように従来の携帯用ＭＤプレーヤは、
（１）  カートリッジホルダにＭＤカートリッジを入れる。
【０００６】
（２）  ＭＤカートリッジを奥端まで挿入する。
（３）  蓋体を閉じる。
との、手動による３アクションの操作が必要である。
【０００７】
本発明は、蓋体の開閉に連動してカートリッジを引き込むことができ、操作性を改善できる記録再生装置の蓋開閉装置を提供することを目的とする。
さらに具体的には、蓋体の開閉に連動してＭＤカートリッジを引き込むように構成したにもかかわらず、装置の大型化を回避できる構造の装置を提供することを目的としている。
【０００８】
【課題を解決するための手段】
本発明の請求項１記載の記録再生装置の蓋開閉装置は、本体キャビネットとこの本体キャビネットの側に基端が開閉自在に枢支された蓋体を有し、蓋体の側にセットされた記録媒体を収納したカートリッジを本体キャビネットに設けた駆動手段で回転駆動しながら本体キャビネットに設けたアクセス手段を介して前記カートリッジにアクセスする記録再生装置において、挿入された前記カートリッジを保持し前記蓋体の解放に連動して挿入口が前記本体キャビネットと解放された蓋体の先端側との間に位置するカートリッジホルダと、前記カートリッジホルダにスライド自在に取り付けられ挿入された前記カートリッジの係合凹部に係合する弾性凸部を有するスライダと、第１のリンクの一端と第２のリンクの一端とを連結してなり第１のリンクの他端を前記本体キャビネットの側面に連結し、第２のリンクの他端を前記スライダに連結されたリンク機構とを設け、前記蓋体の開閉動作に伴って前記スライダが前記カートリッジを移動させるように構成するとともに、第１のリンクの前記他端と前記本体キャビネットとの連結部を、本体キャビネットに設けたリンク支軸を第１のリンクの前記他端に第１のリンクの長手方向に延びる長孔に係合させて構成し、蓋体の開放状態から閉塞完了の手前位置では第１のリンクの有効長さが長くなるように付勢する付勢手段を設け、蓋体を閉塞完了の手前位置から閉塞完了位置までは前記スライダの前記引き込み方向への移動を規制して前記付勢手段の付勢に抗して第１のリンクの有効長さが短くなるようにするスライダ規制手段を設けたことを特徴とする。
【０００９】
この構成によると、蓋体を閉じる際に、カートリッジが蓋体と本体キャビネットとの間に挟み込まれて装填不良が発生しないように、蓋の閉塞に伴う前記引き込み量を大きくしようとして前記リンク機構の第１のリンクの長さを単に長くしたものではなく、付勢手段とスライダ規制手段とによって、第１のリンクの有効長さが蓋体の開閉位置によって有効長さが自動的に変化するように構成したため、正常な装填を行えるとともに、装置の奥行きが大きくならない。
【００１０】
本発明の請求項２記載の記録再生装置の蓋開閉装置は、請求項１において、前記付勢手段を、本体キャビネットに設けたリンク支軸の周りに巻回され一端が本体キャビネットに係合し、他端が第１のリンクに係合するツル巻きバネで構成したことを特徴とする。
【００１１】
本発明の請求項３記載の記録再生装置の蓋開閉装置は、請求項１において、前記スライダ規制手段を、前記カートリッジの引き込み終了位置に応じて前記カートリッジホルダに当接して前記スライダの引き込み方向への移動を規制するピンで構成したことを特徴とする。
【００１２】
本発明の請求項４記載の記録再生装置の蓋開閉装置は、請求項１〜請求項３において、前記スライダを第２のリンクの他端に形成したことを特徴とする。
本発明の請求項５記載の記録再生装置の蓋開閉装置は、請求項１〜請求項４において、前記蓋体の奥端に、基端が蓋体に固定され、先端が前記スライダにこのスライダを前記カートリッジを排出方向へ付勢するように当接する板バネを設けたことを特徴とする。
【００１３】
【発明の実施の形態】
以下、本発明の記録再生装置の蓋開閉装置を実施の形態に基づいて説明する。
図１に示すように、本発明によって実現された携帯用ＭＤプレーヤは、本体キャビネット１とこの本体キャビネット１に基端が開閉自在に枢支された蓋体２を有し、蓋体２を閉じた状態では、蓋体２の側にセットされた記録媒体を収納したＭＤカートリッジ３（図３参照）を本体キャビネット１に設けた駆動手段としてのスピンドルモータに連結されたターンテーブル４で回転駆動しながら本体キャビネット１に設けたアクセス手段としての光ピックアップユニットを介してＭＤカートリッジ３にアクセスするよう構成されている。
【００１４】
本体キャビネット１と蓋体２との連結関係ならびに、蓋体２に設けられたカートリッジホルダ５の具体的な構成を図２〜図１１に基づいて説明する。
カートリッジホルダ５を取り付けた状態の前記蓋体２を図２に示す。
【００１５】
蓋体２の裏面には、挿入された前記ＭＤカートリッジ３を保持する第１，第２のカートリッジガイド体５Ｒ，５Ｌを蓋体２の内側に左右に分離してねじ止めされている。６Ｒ，６Ｌは本体キャビネット１の側にねじ止めされる左右のリンク台である。
【００１６】
第１，第２のカートリッジガイド体５Ｒ，５Ｌはそれぞれ図３〜図９，図１０と図１１に示すように構成されている。
第１のカートリッジガイド体５Ｒは、図４に示すように、蓋体２に取り付けられるリンク板７Ｒと、ＭＤカートリッジ３の右側を保持するとともに前側の上面には板バネ部８Ｒが取り付けられたカートリッジガイド片９Ｒとを有している。前記リンク板７Ｒの奥端とカートリッジガイド片９Ｒの奥端は互いに本体キャビネット１の奥側でリンク台６Ｒに単一の軸１０Ｒで連結されている。さらに、カートリッジガイド片９Ｒには、図５（ａ）に示すように前記軸１０Ｒよりも前側でリンク板７Ｒに係合可能な係合片としての係合ピン１１が設けられている。リンク板７Ｒには、図５（ｂ）と図８に示すように前記係合ピン１１に対応する位置に前記軸１０Ｒを中心に所定範囲内で揺動自在に連結する係合穴１２が形成されている。
【００１７】
第２のカートリッジガイド体５Ｌは、図１０と図１１（ａ）（ｂ）に示すように、蓋体２に取り付けられるリンク板７Ｌと、ＭＤカートリッジ３の左側を保持するとともに前側の上面に板バネ部８Ｌが取り付けられたカートリッジガイド片９Ｌとを有している。前記リンク板７Ｌの奥端とカートリッジガイド片９Ｌの奥端は互いに本体キャビネット１の奥側でリンク台６Ｌに単一の軸１０Ｌで連結されている。さらに、カートリッジガイド片９Ｌには、前記軸１０Ｌよりも前側でリンク板７Ｌに係合可能な係合片としての折曲部１３が設けられている。リンク板７Ｌには、前記折曲部１３に対応する位置に前記軸１０Ｌを中心に所定範囲内で揺動自在に連結する係合穴１４が形成されている。
【００１８】
第１，第２のカートリッジガイド体５Ｒ，５Ｌのうちの第１のカートリッジガイド体５Ｒには、蓋体２を閉じるに伴ってＭＤカートリッジ３をカートリッジホルダ５の奥側へ引き込むために次のようなリンク機構１５が組み付けられている。
【００１９】
図７の分解斜視図に示すように、第１のリンクＡの一端と第２のリンクＢの一端とを連結するピン１５ａは、図８に示すようにリンク板７Ｒの長孔１６に係合し、第１のリンクＡの他端に形成された長孔１７には、リンク台６Ｒに植設されたリンク支軸１８が係合している。
【００２０】
また、第２のリンクＢの他端には、スライダ１９を形成し、このスライダ１９はカートリッジガイド片９Ｒを乗り越えて内側に折り曲げられており、スライダ１９の弾性凸部２０はＭＤカートリッジ３に形成されている係合凹部２１に係合できるように構成されている。カートリッジガイド片９Ｒの内側には、前記スライダ１９に形成された長孔２２に係合するピン２３が植設されている。
【００２１】
さらに、前記リンク支軸１８の周りには、一端がリンク台６Ｒに係合し他端が第１のリンクＡに係合するツル巻きバネ２４が付勢手段として設けられている。
また、図２に示すように、蓋体２の奥端には基端が蓋体２に固定され、先端が前記スライダ１９に当接する板バネ２５が設けられている。
【００２２】
このように構成したため、蓋体２を開放すると、カートリッジガイド片９Ｒ，９Ｌは、図３と図１０に示すように板バネ部８Ｒ，８Ｌによって蓋体２の内側から離れる方向に付勢されて、右側のカートリッジガイド片９Ｒは図８に示すように係合ピン１１が係合穴１２の奥端に当接する位置にまで軸１０Ｒを中心に回動し、左側のカートリッジガイド片９Ｌは図１０に示すように折曲部１３が係合穴１４の奥端に当接する位置にまで軸１０Ｌを中心に回動して、カートリッジホルダ５の挿入口が本体キャビネット１と開放した蓋体２との間に現れる。
【００２３】
この状態では、板バネ２５によってイジェクト方向に付勢されたスライダ１９は長孔２２の奥端にピン２３が当接する位置で停止しており、ＭＤカートリッジ３を挿入すると、図３に示すように蓋体２の前端から５ｍｍ程度だけＭＤカートリッジ３の前端が突出している状態で、挿入されたＭＤカートリッジ３の係合凹部２１にスライダ１９の弾性凸部２０が係合する。
【００２４】
この状態の第１のリンクＡは図９の（ｃ）に示すようにツル巻きバネ２４の付勢力によって長孔１７の前側にリンク支軸１８が当接していて第１のリンクＡの有効長さが長い状態Ｌ１になっている。
【００２５】
次に、蓋体２を閉じるように手動操作すると、蓋体２の閉塞方向への回動に伴って有効長さが長い状態の第１のリンクＡによって、第２のリンクＢを介してスライダ１９が第１のリンクＡの有効長さが短い状態の場合よりも迅速に前記板バネ２５の付勢に抗して引き込まれ、引き込まれる途中のＭＤカートリッジ３が蓋体２と本体キャビネット１のロックレバー２６との間に挟み込まれるような装填不良が発生しない。
【００２６】
このＭＤカートリッジ３の引き込みが完了した閉塞完了の直前位置では、図９の（ｂ）に示すように、スライダ１９に形成された長孔２２の前端にカートリッジガイド片９Ｒのピン２３が当接しており、さらに蓋体２が閉塞完了位置に向かって回動されると、図９の（ｂ）に示すように第１のリンクＡは長孔１７の前側にリンク支軸１８が当接している状態から、ツル巻きバネ２４の付勢力に抗して図９の（ａ）に示すようにリンク支軸１８から長孔１７の前側が離間して第１のリンクＡの有効長さが長い状態から短くなりながら回動し、本体キャビネット１のロックレバー２６が蓋体２に係合して閉塞完了状態に保持される。この状態では、第１のリンクＡは有効長さがＬ１よりも短い状態Ｌ２になっている。
【００２７】
オープンツマミ２７を操作してイジェクトを指示すると、ツル巻きバネ２４の付勢力と板バネ２５との付勢力によって、蓋体２が上記と逆の動作で開放方向へ回動するとともに、ＭＤカートリッジ３がイジェクトされる。
【００２８】
このように、本実施の形態の携帯用ＭＤプレーヤは、
（１）  カートリッジホルダにＭＤカートリッジを入れる。
（２）  蓋体を閉じる。
との、手動による２アクションの操作だけでＭＤカートリッジ３を装填することができ、操作性を改善できるともに、閉塞完了状態ではＭＤカートリッジ３の引き込み途中よりも第１のリンクＡの有効長さが（  Ｌ１−Ｌ２  ）だけ短くなっているので、携帯用ＭＤプレーヤの奥行き方向の大型化を回避できる。
【００２９】
なお、上記の実施の形態では第２のリンクＢの他端に一体にスライダ１９を設けたが、第２のリンクＢとは別にスライダ１９を設けてもよい。
また、蓋体を閉塞完了の手前位置から閉塞完了位置までは前記スライダの前記引き込み方向への移動を規制して第１のリンクの有効長さが短くなるようにするスライダ規制手段を、スライダ１９に形成された長孔２２の前端にカートリッジガイド片９Ｒのピン２３が当接してスライダ１９の引き込み方向への移動を規制するように構成したが、このスライダ規制手段は第１，第２のリンクＡ，Ｂを連結しているピン１５ａがリンク板７Ｒの長孔１６の奥端に当接してスライダ１９の引き込み方向への移動を規制するようにも構成できる。
【００３０】
また、上記の第１のリンクＡの側にリンク軸１８を固定し、リンク台６Ｒに長孔を設けて構成することもできる。
さらに、上記の各実施の形態では、ＭＤカートリッジについて説明したが、テープカセットのようにテープを記録媒体とするカートリッジにも同様に適用できるものである。
【００３１】
【発明の効果】
以上のように本発明の記録再生装置の蓋開閉装置によると、蓋体の開閉動作に伴ってスライダが記録媒体を収納したカートリッジを移動させるように構成するとともに、蓋体の開放状態から閉塞完了の手前位置では第１のリンクの有効長さが長くなるように付勢する付勢手段を設け、蓋体を閉塞完了の手前位置から閉塞完了位置までは前記スライダの前記引き込み方向への移動を規制して前記付勢手段の付勢に抗して第１のリンクの有効長さが短くなるようにするスライダ規制手段を設けたため、蓋体を閉じる際に、カートリッジが蓋体と本体キャビネットとの間に挟み込まれて装填不良が発生せず、正常な装填を行えるとともに、第１のリンクの有効長さが蓋体の開閉位置によって有効長さが自動的に変化するため装置の奥行きが大きくならず、小型化が要求されている携帯用の装置の蓋開閉装置として適している。
【図面の簡単な説明】
【図１】本発明の実施の形態の記録再生装置の外観斜視図
【図２】同実施の形態の蓋体の裏面の斜視図
【図３】同実施の形態の記録再生装置の右側面図
【図４】図３から本体キャビネットと蓋体を除去した状態の右側面図
【図５】第１のカートリッジガイド体５Ｒの蓋体閉塞状態の平面図と側面図
【図６】蓋体開放状態の第１のカートリッジガイド体５Ｒを内側から見た斜視図
【図７】第１のカートリッジガイド体５Ｒの分解斜視図
【図８】蓋体開放状態の第１のカートリッジガイド体５Ｒを内側から見てカートリッジガイド片９Ｒの一部を切り欠いた図
【図９】ローディング完了状態とその直前状態およびローディング開始状態における第１のカートリッジガイド体５Ｒを内側から見た図
【図１０】同実施の形態の記録再生装置の左側面図
【図１１】本体キャビネットと蓋体を除去し第２のカートリッジガイド体５Ｌの蓋体閉塞状態の平面図と側面図
【符号の説明】
１    本体キャビネット
２    蓋体
３    ＭＤカートリッジ（カートリッジ）
４    ターンテーブル
５    カートリッジホルダ
５Ｒ，５Ｌ    第１，第２のカートリッジガイド体
６Ｒ，６Ｌ    リンク台
７Ｒ，７Ｌ    リンク板
８Ｒ，８Ｌ    板バネ部
９Ｒ，９Ｌ    カートリッジガイド片
１０Ｒ，１０Ｌ    軸
１１    係合ピン（係合片）
１２    係合穴
１３    折曲部（係合片）
１４    係合穴
１５    リンク機構
１５ａ    ピン
１６    長孔
１７    長孔
１８    リンク支軸
１９    スライダ
２０    弾性凸部
２１    係合凹部
２２    長孔
２３    ピン
２４    ツル巻きバネ（付勢手段）
２５    板バネ
Ａ    第１のリンク
Ｂ    第２のリンク
Ｌ１    第１のリンクＡの有効長さが長い状態
Ｌ２    第１のリンクＡの有効長さが短い状態
【図１】
0004434430.tif 000002
【図２】
0004434430.tif 000003
【図３】
0004434430.tif 000004
【図４】
0004434430.tif 000005
【図５】
0004434430.tif 000006
【図６】
0004434430.tif 000007
【図７】
0004434430.tif 000008
【図８】
0004434430.tif 000009
【図９】
0004434430.tif 000010
【図１０】
0004434430.tif 000011
【図１１】
0004434430.tif 000012